(57)【要約】 【課題】  シミュレーション計算の計算時間短縮を可能にし、また変形しながら移動する物体についてもシミュレーション計算を可能にする熱流体シミュレーション方法を提供する。【解決手段】  シミュレーション計算に用いられる計算条件を求め（ｓ１）、求められた計算条件を用いて初期状態での流れ場および温度場をシミュレーション計算し（ｓ２）、ｎステップが所定のステップ数Ｎに達したか否かを判断して達していない場合に（ｎ＋１）ステップへ進み（ｓ３，ｓ４）、シミュレーション計算の解析結果を（ｎ＋１）ステップにおけるシミュレーション計算の初期値として設定し（ｓ５）、設定された初期値に基づいて（ｎ＋１）ステップの流れ場および温度場をシミュレーション計算する（ｓ６）。【選択図】      図２
2005339350.tif 000002
【特許請求の範囲】
【請求項１】
移動する物体を含む系内で移動物体および該物体まわりの流れ場と温度場とを複数に設定されるステップの各ステップごとにシミュレーション計算する熱流体シミュレーション装置において、
シミュレーション計算に用いられる計算条件を供給する計算条件供給手段と、
計算条件供給手段から供給される計算条件を用いて移動物体および該物体まわりの初期状態での流れ場および温度場をシミュレーション計算するとともに、初期状態以外のステップではステップごとに与えられる初期値に基づいて移動物体および該物体まわりの流れ場および温度場をシミュレーション計算する計算手段と、
計算手段によるシミュレーション計算結果を解析し、該解析結果を次ステップにおけるシミュレーション計算の初期値として計算手段に与える解析結果移動手段と、
計算条件供給手段、計算手段、解析結果移動手段の動作を制御する制御手段とを含むことを特徴とする熱流体シミュレーション装置。
【請求項２】
移動する物体を含む系内で移動物体および該物体まわりの流れ場と温度場とを複数に設定されるステップの各ステップごとにシミュレーション計算する熱流体シミュレーション方法において、
シミュレーション計算に用いられる計算条件を求める手順と、
求められた計算条件を用いて移動物体および該物体まわりの初期状態での流れ場および温度場をシミュレーション計算する手順と、
シミュレーション計算結果を解析し、該解析結果を次ステップにおけるシミュレーション計算の初期値として設定する手順と、
設定された初期値に基づいて移動物体および該物体まわりの流れ場および温度場をシミュレーション計算する手順とを含むことを特徴とする熱流体シミュレーション方法。
【請求項３】
移動する物体を含む系内で移動物体および該物体まわりの流れ場と温度場とを複数に設定されるステップの各ステップごとにシミュレーション計算することに用いられる熱流体シミュレーションプログラムであって、
少なくとも、
シミュレーション計算に用いられる計算条件を求める手順と、
求められた計算条件を用いて移動物体および該物体まわりの初期状態での流れ場および温度場をシミュレーション計算する手順と、
シミュレーション計算結果を解析し、該解析結果を次ステップにおけるシミュレーション計算の初期値として設定する手順と、
設定された初期値に基づいて移動物体および該物体まわりの流れ場および温度場をシミュレーション計算する手順とをコンピュータに実行させるための熱流体シミュレーションプログラム。
【請求項４】
前記請求項３記載の熱流体シミュレーションプログラムを記録したコンピュータ読取り可能な記録媒体。
【発明の詳細な説明】
【技術分野】
【０００１】
本発明は、工学的シミュレーション分野に属し、移動する物体を含む系における熱流体シミュレーション装置および熱流体シミュレーション方法ならびに熱流体シミュレーションプログラムおよびそれを記録した記録媒体に関する。
【背景技術】
【０００２】
従来、回転または直線移動する物体を含む系内で移動物体および該物体まわりの流れ場および温度場をシミュレーション計算する熱流体シミュレーションにおいては、物体を表現するための単一の計算メッシュ（以後、単にメッシュと呼ぶ）を使用し、物体の移動に伴う計算ステップごとに、メッシュを作成しなおす方法がとられている。
【０００３】
図５は、従来の熱流体シミュレーション方法を説明する図である。図５では、平面形状が円形の物体１が回転移動し、回転移動物体１および該物体１まわりに形成した単一のメッシュを使用する場合について例示する。図５の例では、回転移動物体１と外部とを区切る境界２の外側は気体である。メッシュは、回転移動物体１およびそのまわりにも及んで形成され、メッシュを構成する個々の要素には、各要素を識別するための要素番号が割当てられる。図５では、要素番号を丸囲い数字で表す。なお、要素番号は、メッシュを構成する個々の要素すべてに付されるけれども、図５では煩雑さを避けるために要素番号１〜１２までのみを表示する。
【０００４】
一般的に、熱流体シミュレーションでは、ある時間ステップを定めそのステップごとに計算を進める時系列シミュレーションが行われる。図５も時系列シミュレーションを示し、図５（ａ）では、ある時刻ステップｎにおける状態を示し、図５（ｂ）では図５（ａ）の時刻から予め定める時間だけ経過した次の時刻ステップｎ＋１における状態を示す。
【０００５】
図５の例において予め定める時間とは、回転移動物体１が矢符３で示す時計まわり方向にメッシュの構成要素１つ分だけ回転移動するのに要する時間である。したがって、予め定める時間が経過して、図５（ａ）の状態から図５（ｂ）の状態へ移行したとき、すなわち計算ステップが１つ進んだとき、回転移動物体１に形成されるメッシュのみが、１要素分だけ時計まわり方向にずれたメッシュとなる。これは、各要素間の接続状態が変わる新たなメッシュであることを意味し、シミュレーション計算には、新たなメッシュの作成とそれに対応する新たな方程式を解くことが必要となる。
【０００６】
したがって、従来の方法では、シミュレーション計算の各ステップにおいて、メッシュすなわち状態を表す釣合い方程式をその都度作り直さなければならないので、多大な計算量が必要になるという問題がある。
【０００７】
また熱流体シミュレーションの他の従来技術に、複数のメッシュを使用し、移動物体まわりのメッシュを他のメッシュとは独立して移動させ、各計算ステップごとに、各メッシュ系の接続境界節点で流れ場の情報を交換しあいながら計算するシミュレーション方法が  ある。しかしながら、この従来技術では、接続境界節点において各メッシュが流れ場の情報を交換する際に必要となる接続境界節点の属する他のメッシュのメッシュセル（要素）検索に多大な計算時間を要し、物体が移動することによる計算量増大の問題がある。
【０００８】
このような問題を解決する従来技術に、新しい計算ステップにおいて、一方のメッシュの接続境界節点が属する他方のメッシュのメッシュセル番号の検索を、各メッシュ系において隣接するメッシュセルを参照するテーブルを予め作成しておき、前の計算ステップで接続境界節点が属していたメッシュセルおよびその隣接メッシュセルから行い、流れ場の情報を交換するものがある（特許文献１参照）。
【０００９】
特許文献１に開示される技術では、メッシュセルの検索に要する時間を短縮することができるけれども、検索されたメッシュセルを含む新たなメッシュにおいて、状態を表す釣合い方程式をその都度作成し、該方程式を解く計算量が必要であるという問題が残るので、計算量の低減および計算時間の短縮が未だ充分に達成されないという問題がある。
【００１０】
また、上記の従来技術では、物体が変形しない剛体であり、回転または直線移動の場合にはシミュレーションが可能であるけれども、たとえば物体がゴムベルトのように変形しながら移動するものである場合には適用できないという問題がある。
【００１１】
【特許文献１】特開平４−３１９７６７号公報
【発明の開示】
【発明が解決しようとする課題】
【００１２】
本発明の目的は、シミュレーション計算の計算時間短縮を可能にし、また変形しながら移動する物体についてもシミュレーション計算を可能にする熱流体シミュレーション装置および熱流体シミュレーション方法を提供することである。
【００１３】
また本発明のもう一つの目的は、上記熱流体シミュレーション方法をコンピュータが実行するための熱流体シミュレーションプログラムおよびそれを記録したコンピュータ読取り可能な記録媒体を提供することである。
【課題を解決するための手段】
【００１４】
本発明は、移動する物体を含む系内で移動物体および該物体まわりの流れ場と温度場とを複数に設定されるステップの各ステップごとにシミュレーション計算する熱流体シミュレーション装置において、
シミュレーション計算に用いられる計算条件を供給する計算条件供給手段と、
計算条件供給手段から供給される計算条件を用いて移動物体および該物体まわりの初期状態での流れ場および温度場をシミュレーション計算するとともに、初期状態以外のステップではステップごとに与えられる初期値に基づいて移動物体および該物体まわりの流れ場および温度場をシミュレーション計算する計算手段と、
計算手段によるシミュレーション計算結果を解析し、該解析結果を次ステップにおけるシミュレーション計算の初期値として計算手段に与える解析結果移動手段と、
計算条件供給手段、計算手段、解析結果移動手段の動作を制御する制御手段とを含むことを特徴とする熱流体シミュレーション装置である。
【００１５】
また本発明は、移動する物体を含む系内で移動物体および該物体まわりの流れ場と温度場とを複数に設定されるステップの各ステップごとにシミュレーション計算する熱流体シミュレーション方法において、
シミュレーション計算に用いられる計算条件を求める手順と、
求められた計算条件を用いて移動物体および該物体まわりの初期状態での流れ場および温度場をシミュレーション計算する手順と、
シミュレーション計算結果を解析し、該解析結果を次ステップにおけるシミュレーション計算の初期値として設定する手順と、
設定された初期値に基づいて移動物体および該物体まわりの流れ場および温度場をシミュレーション計算する手順とを含むことを特徴とする熱流体シミュレーション方法である。
【００１６】
また本発明は、移動する物体を含む系内で移動物体および該物体まわりの流れ場と温度場とを複数に設定されるステップの各ステップごとにシミュレーション計算することに用いられる熱流体シミュレーションプログラムであって、
少なくとも、
シミュレーション計算に用いられる計算条件を求める手順と、
求められた計算条件を用いて移動物体および該物体まわりの初期状態での流れ場および温度場をシミュレーション計算する手順と、
シミュレーション計算結果を解析し、該解析結果を次ステップにおけるシミュレーション計算の初期値として設定する手順と、
設定された初期値に基づいて移動物体および該物体まわりの流れ場および温度場をシミュレーション計算する手順とをコンピュータに実行させるための熱流体シミュレーションプログラムである。
【００１７】
また本発明は、前記の熱流体シミュレーションプログラムを記録したコンピュータ読取り可能な記録媒体である。
【発明の効果】
【００１８】
本発明によれば、任意の計算ステップにおいて移動物体および該物体まわりの流れ場および温度場をシミュレーション計算し、シミュレーション計算結果を解析し、該解析結果を次ステップにおけるシミュレーション計算の初期値として設定し、次ステップでは、設定された初期値に基づいて移動物体および該物体まわりの流れ場および温度場をシミュレーション計算するので、シミュレーション計算の各ステップで釣合い方程式を作り直す必要が無くなり、計算時間の短縮を実現することができる。また、たとえばゴムベルトのように変形しながら移動する物体を含む系の熱流体シミュレーションが可能となる。
【００１９】
また本発明によれば、任意の計算ステップにおけるシミュレーション計算結果が、次のステップにおけるシミュレーション計算の初期値として使用される熱流体シミュレーション方法が、コンピュータによって実行される熱流体シミュレーションプログラムとして、また該プログラムが記録されたコンピュータ読取り可能な記録媒体として提供される。したがって、熱流体シミュレーション方法の汎用性が増し、熱流体シミュレーション方法をコンピュータによって容易に短時間で実行することが可能になる。
【発明を実施するための最良の形態】
【００２０】
図１は、本発明の実施の一形態である熱流体シミュレーション装置１０の構成を簡略化して示すブロック図である。熱流体シミュレーション装置１０は、大略、シミュレーション計算に用いられる計算条件を供給する計算条件供給手段１１と、計算条件供給手段１１から供給される計算条件を用いて移動物体および該物体まわりの初期状態での流れ場および温度場をシミュレーション計算するとともに、初期状態以外のステップではステップごとに与えられる初期値に基づいて移動物体および該物体まわりの流れ場および温度場をシミュレーション計算する計算手段１２と、計算手段１２によるシミュレーション計算結果を解析し、該解析結果を次ステップにおけるシミュレーション計算の初期値として計算手段１２に与える解析結果移動手段１３と、計算条件供給手段１１、計算手段１２、解析結果移動手段１３の動作を制御する制御手段１４と、シミュレーション計算結果を表示する表示手段１５とを含んで構成される。
【００２１】
この熱流体シミュレーション装置１０は、移動する物体を含む系内で移動物体および該物体まわりの流れ場と温度場とを複数に設定されるステップの各ステップごとにシミュレーション計算することに用いられる。
【００２２】
本実施の形態では、計算条件供給手段１１は、移動物体の形状およびメッシュに関するデータが予め格納されている形状データ記憶部２１と、移動物体および移動物体まわりの流体に関する物性データが予め格納されている物性データ記憶部２２と、たとえば境界条件、発熱条件、シミュレーション計算を繰返し実行する時間間隔、シミュレーション計算を繰返すべき回数であるステップ数などの計算条件データが、予め格納されている計算条件データ記憶部２３と、上記の各データを手入力することができる手入力データ部２４とを含んで構成される。
【００２３】
形状データ記憶部２１、物性データ記憶部２２、計算条件データ記憶部２３は、たとえばランダムアクセスメモリ（ＲＡＭ）またはハードディスクドライブ（ＨＤＤ）などによって実現されるメモリ装置である。形状データ記憶部２１、物性データ記憶部２２、計算条件データ記憶部２３のそれぞれに格納されるデータは、たとえば他のコンピュータから与えられてもよく、手入力部２４から入力されてもよい。
【００２４】
手入力部２４は、たとえばキーボードなどの入力装置である。前述の各データは、シミュレーション計算の機会に応じて手入力部２４から直接計算手段１２へ入力されてもよく、また予め手入力部２４から形状データ記憶部２１、物性データ記憶部２２、計算条件データ記憶部２３の各部に入力しておき、シミュレーション計算の機会に応じて各部から読出されてもよい。
【００２５】
計算手段１２は、たとえば大規模集積回路（ＬＳＩ）などによって実現される演算回路であり、本実施の形態では、流れ場を計算する流れ場計算部２５と、温度場を計算する温度場計算部２６とを含む。計算手段１２は、初期状態および任意のステップであるｎステップでの流れ場および温度場をシミュレーション計算した結果を、解析結果移動手段１３に対して出力する。
【００２６】
解析結果移動手段（解析結果移動部）１３は、ＬＳＩなどによって実現される演算回路であり、メモリ部１３ａを有する。メモリ部１３ａには、解析結果移動プログラムが予め格納される。計算手段１２からｎステップのシミュレーション計算結果を与えられたとき、解析結果移動手段１３は、メモリ部１３ａから解析結果移動プログラムを読出し、プログラムに従って、計算結果を、「物体の移動速度×ステップの時間」で算出される１ステップでの物体移動量分だけ移動させ、これを次のｎ＋１ステップのシミュレーション計算に用いる初期値として設定し、計算手段１２に対して出力する。なお、計算手段１２は、解析結果移動手段１３から初期値が与えられたとき、ｎ＋１ステップのシミュレーション計算を実行する。
【００２７】
制御手段（制御部）１４は、たとえば中央処理装置（略称ＣＰＵ）を備える処理回路である。制御手段１４には、図示を省くけれども、熱流体シミュレーション装置１０全体の動作を制御するためのプログラムが予めストアされる記憶部が備えられる。記憶部は、たとえばリードオンリィメモリィ（ＲＯＭ）などによって実現される。制御手段１４は、記憶部から読出される前述のプログラムに従って、前述の計算条件供給手段１１、計算手段１２、解析結果移動手段１３の動作を制御する。なお、本実施の形態では、制御手段１４は、計算手段１２および解析結果移動手段１３と一体的に形成される。
【００２８】
表示手段（表示部）１５は、たとえば陰極線管（ＣＲＴ）または液晶ディスプレイ（ＬＣＤ）などの画像表示可能な画面を有する表示装置である。なお、表示手段１５には、熱流体シミュレーション計算結果を、記録紙などに記録するためのプリンタなどが併設されてもよい。
【００２９】
図２は、図１に示す熱流体シミュレーション装置１０を用いて行われる熱流体シミュレーション方法を説明するフローチャートである。図２を参照して熱流体シミュレーション方法の実行に係る制御手段１４の動作について説明する。熱流体シミュレーションは、多くの場合３次元空間を対象として行われるけれども、ここでは説明を容易にするために、２次元空間の場合について説明を行う。シミュレーションの原理および効果は、２次元であるか３次元であるかに関係なく、同様である。
【００３０】
手順ｓ０のスタートでは、熱流体シミュレーション装置１０の各スイッチがオンにされて動作可能であり、形状データ記憶部２１、物性データ記憶部２２および計算条件データ記憶部２３に、シミュレーション計算に用いられる所定データがそれぞれ格納されている状態である。
【００３１】
手順ｓ１では、熱流体のシミュレーション計算、すなわち流れ場および温度場のシミュレーション計算に必要な諸条件が、計算条件供給手段１１である形状データ記憶部２１、物性データ記憶部２２および計算条件データ記憶部２３から読出される。なお、図２において例示する熱流体シミュレーション方法では、シミュレーション計算の繰返し回数であるステップ数をＮとする。
【００３２】
手順ｓ２では、読出した計算条件を用いて初期状態すなわちステップｎ＝０における流れ場および温度場のシミュレーション計算を行い、初期状態における場の釣合い結果を計算する。ここで流れ場を解く演算には、たとえば公知のナビエストークスの方程式を用いることができ、温度場を解く演算には、たとえば公知のポアソン方程式を用いることができる。
【００３３】
手順ｓ３では、シミュレーション計算を終了させるか否かの判断、すなわち現在シミュレーション計算実行中のステップ（場の計算回数）を示すｎが、手順ｓ１で読出されたステップ数Ｎに達したか否かが判断される。この判断も制御手段１４によって行われる。判断結果が否定であり、ｎがＮに達していない場合は手順ｓ４へ進み、判断結果が肯定であり、ｎがＮに達している場合は手順ｓ７のエンドへ進み、シミュレーション計算を終了する。
【００３４】
手順ｓ４では、ｎの値を１つ加算した（ｎ＋１）に置換えて、手順ｓ５へ進む。手順ｓ５では、計算手段１２から解析結果移動手段１３に対してシミュレーション結果が出力され、解析結果移動手段１３は、シミュレーション計算結果を、１ステップでの物体移動量分だけスライドし、シミュレーション計算の初期値として設定する。
【００３５】
この手順ｓ５における動作をさらに図３を参照して説明する。図３は、解析結果の移動を説明する図である。図３（ａ）にはｎステップにおけるシミュレーション計算結果を示し、図３（ｂ）には（ｎ＋１）ステップにおけるシミュレーション計算の条件設定を示す。図３では、平面形状が円形の物体３１が気体中で回転移動する場合について例示する。したがって回転移動物体３１と外部とを区切る境界３２の外側は気体である。メッシュは、回転移動物体３１およびそのまわりにも及んで形成され、メッシュを構成する個々の要素には、各要素を識別するための要素番号が割当てられる。図３では、要素番号を丸囲い数字で表す。なお、要素番号は、メッシュを構成する個々の要素すべてに付されるけれども、図３では煩雑さを避けるために要素番号１〜１２までのみを表示する。またｎステップにおけるシミュレーション計算結果を、Ｒ＋丸囲い数字をさらに四角で囲んで示す。
【００３６】
次の（ｎ＋１）ステップにおける状態を計算するためには、回転移動物体３１が回転することによる影響を考慮した上で釣合い方程式を解かなければならない。回転移動物体３１は、円形であり矢符３３方向に回転しても形状に変わりがないので、仮にメッシュの要素番号を割付直せば、ｎステップにおけるメッシュと同一にすることができる。
【００３７】
したがって、回転移動物体３１に形成されるメッシュを矢符３３方向にスライドさせるのではなく、回転移動物体３１に形成されるメッシュを構成している各要素についてｎステップで実行されたシミュレーション計算結果を、１要素分だけ矢符３３方向に回転させ、回転後の各要素に位置付けられるシミュレーション計算結果を、（ｎ＋１）ステップにおけるシミュレーション計算の初期値とする。図３（ｂ）は、（ｎ＋１）ステップでシミュレーション計算を実行するべく、ｎステップでのシミュレーション計算結果を、矢符３３方向にメッシュの１要素分だけずらせた状態を示す。
【００３８】
図３では、説明を判りやすくするために、１ステップでの物体移動量および要素中心間距離が等しい場合を例示するけれども、１ステップでの物体移動量および要素中心間距離が一致しない場合、要素中心からの位置ずれ距離に応じて、線形補間を行うことによって同様の効果を得ることができる。
【００３９】
手順ｓ６では、解析結果移動手段１３から計算手段１２に対して初期値が出力され、計算手段１２は、該初期値を用いて流れ場および温度場の釣合いに関してシミュレーション計算を行い、手順ｓ３へ戻る。手順ｓ３以降は、前述の動作を繰返し、ｎがＮに達したときに一連の熱流体シミュレーションが終了する。
【００４０】
このように本発明の熱流体シミュレーション方法によれば、メッシュを移動させることなくシミュレーション計算することができるので、各計算ステップにおいて釣合い方程式を作直す作業が不要になり、計算時間を著しく短縮することができる。
【００４１】
図４は、変形しながら移動する物体についての熱流体シミュレーション方法を説明する図である。図４では、駆動プーリ４１と従動プーリ４２とに巻きまわされて移動するベルト４３について例示する。ベルト４３は、たとえばゴムなどの弾性体からなり、不図示の電動機によって駆動プーリ４１が矢符４４方向に回転駆動され、該回転駆動力がベルト４３に伝達され、ベルト４３が変形を伴いながら矢符４５方向に移動する。本発明によれば、図４に示すベルト４３のように変形を伴って移動する物体に対してもシミュレーションが可能である。
【００４２】
前述と同様に、メッシュを構成する要素番号を丸囲い数字で表し、ｎステップにおけるシミュレーション計算結果を、Ｒ＋丸囲い数字をさらに四角で囲んで示す。図４に示すベルト４３のような変形を伴う移動物体を含む系においては、メッシュ自体を移動させる手法によれば、ベルト４３の直進部分と、プーリ４１，４２の外周に沿ったベルト４３の回転部分とでは、メッシュの形状が変化するので、シミュレーションすることができない。しかしながら、本発明のように、メッシュ自体を全く変化させることなく、計算ステップの進行に伴ってシミュレーション結果のみを、ベルト４３の移動経路に従って移動させることによって、ベルト４３の移動による影響を次のシミュレーション計算ステップに反映させることができるので、変形を伴う移動物体を含む系でのシミュレーションが可能になる。
【００４３】
また本発明は、コンピュータを熱流体シミュレーション装置として動作させるための熱流体シミュレーションプログラム、および熱流体シミュレーションプログラムを記録したコンピュータ読取り可能な記録媒体を提供する。
【００４４】
熱流体シミュレーションプログラムを記録する記録媒体としては、前述の制御手段１４に備えられるたとえばＲＯＭなどが挙げられる。また記録媒体は、外部装置としてプログラムの読取装置が設けられ、該読取装置に挿入されて読取られるものであってもよい。
【００４５】
外部で読取られるタイプの記録媒体が、本熱流体シミュレーション装置１０に用いられる場合、読取装置によって記録媒体から熱流体シミュレーションプログラムを読出し、読出された熱流体シミュレーションプログラムは、制御手段１４に備えられる不図示のプログラム記憶部にダウンロードされて、実行される。なおダウンロード用のプログラムは、制御手段１４の記憶部に予め格納されているものとする。
【００４６】
読取装置で読取られるタイプの記録媒体としては、カセットテープなどの磁気テープ、フレキシブルディスクなどの磁気ディスク、コンパクトディスク（ＣＤ）、デジタルバーサタイルディスク（ＤＶＤ）、ミニディスク（ＭＤ）、Magneto Optical Disk（ＭＯ）などの光もしくは光磁気記録媒体、Integral Circuit（ＩＣ）カード（メモリカードを含む）、光カード、半導体メモリを含めた固定的にプログラムを担持するマスクＲＯＭ、
Erasable Programmable Read Only Memory（ＥＰＲＯＭ）、Electrically Erasable
Programmable Read Only Memory（ＥＥＰＲＯＭ）、フラッシュＲＯＭなどが挙げられる。
【図面の簡単な説明】
【００４７】
【図１】本発明の実施の一形態である熱流体シミュレーション装置１０の構成を簡略化して示すブロック図である。
【図２】図１に示す熱流体シミュレーション装置１０を用いて行われる熱流体シミュレーション方法を説明するフローチャートである。
【図３】解析結果の移動を説明する図である。
【図４】変形しながら移動する物体についての熱流体シミュレーション方法を説明する図である。
【図５】従来の熱流体シミュレーション方法を説明する図である。
【符号の説明】
【００４８】
１０  熱流体シミュレーション装置
１１  計算条件供給手段
１２  計算手段
１３  解析結果移動手段
１４  制御手段
１５  表示手段
２１  形状データ記憶部
２２  物性データ記憶部
２３  計算条件データ記憶部
２４  手入力部
２５  流れ場計算部
２６  温度場計算部
【図１】
2005339350.tif 000003
【図２】
2005339350.tif 000004
【図３】
2005339350.tif 000005
【図４】
2005339350.tif 000006
【図５】
2005339350.tif 000007